(57)【特許請求の範囲】
【請求項１】
無線通信システムにおいてＵＥ（Ｕｓｅｒ  Ｅｑｕｉｐｍｅｎｔ）がＰｒｏＳｅ（Ｐｒｏｘｉｍｉｔｙ  Ｓｅｒｖｉｃｅ）  ｄｉｒｅｃｔ  ｃｏｍｍｕｎｉｃａｔｉｏｎに係わるＰＬＭＮ（Ｐｕｂｌｉｃ  Ｌａｎｄ  Ｍｏｂｉｌｅ  Ｎｅｔｗｏｒｋ）選択を行う方法であって、前記方法は、
前記ＵＥによって、ＰＬＭＮを選択することと、
前記ＵＥによって、前記選択されたＰＬＭＮに対する登録を行うことと、
前記ＵＥによって、前記選択されたＰＬＭＮに対する登録の失敗に起因した‘ＰＬＭＮ  ｎｏｔ  ａｌｌｏｗｅｄ’の失敗登録コードを受信することと、
前記ＵＥによって、ｌｉｍｉｔｅｄ  ｓｅｒｖｉｃｅ  ｓｔａｔｅにおいて前記選択されたＰＬＭＮで前記ＰｒｏＳｅ  ｄｉｒｅｃｔ  ｃｏｍｍｕｎｉｃａｔｉｏｎを行うことと
を含み、
前記ＵＥは、前記ｌｉｍｉｔｅｄ  ｓｅｒｖｉｃｅ  ｓｔａｔｅになった後に前記ＰｒｏＳｅ  ｄｉｒｅｃｔ  ｃｏｍｍｕｎｉｃａｔｉｏｎの実行中にＰＬＭＮ選択を行わない、方法。
【請求項２】
前記登録失敗の理由は、前記ＰＬＭＮが属するセルに送信された位置登録要求に対する応答として受信される、請求項１に記載の方法。
【請求項３】
前記選択されたＰＬＭＮへの登録失敗の理由は、前記ＵＥが前記選択されたＰＬＭＮで適切なセルを捜すことができなかったことである、請求項１に記載の方法。
【請求項４】
前記ＰＬＭＮは、‘ｆｏｒｂｉｄｄｅｎ  ＰＬＭＮｓ’リストに含まれない、請求項１に記載の方法。
【請求項５】
前記ＰＬＭＮは、‘ＰＬＭＮｓ  ｗｉｔｈ  Ｅ−ＵＴＲＡＮ  ｎｏｔ  ａｌｌｏｗｅｄ’リストに含まれない、請求項４に記載の方法。
【請求項６】
無線通信システムにおいてＰｒｏＳｅ（Ｐｒｏｘｉｍｉｔｙ  Ｓｅｒｖｉｃｅ）  ｄｉｒｅｃｔ  ｃｏｍｍｕｎｉｃａｔｉｏｎに係わるＰＬＭＮ（Ｐｕｂｌｉｃ  Ｌａｎｄ  Ｍｏｂｉｌｅ  Ｎｅｔｗｏｒｋ）選択を行うＵＥ（Ｕｓｅｒ  Ｅｑｕｉｐｍｅｎｔ）であって、前記ＵＥは、
送受信装置と、
プロセッサと
を含み、
前記プロセッサは、
ＰＬＭＮを選択することと、
前記選択されたＰＬＭＮに対する登録を行うことと、
前記選択されたＰＬＭＮに対する登録の失敗に起因した‘ＰＬＭＮ  ｎｏｔ  ａｌｌｏｗｅｄ’の失敗登録コードを受信することと、
ｌｉｍｉｔｅｄ  ｓｅｒｖｉｃｅ  ｓｔａｔｅにおいて前記選択されたＰＬＭＮでＰｒｏＳｅ  ｄｉｒｅｃｔ  ｃｏｍｍｕｎｉｃａｔｉｏｎを行うことと
を実行するように構成され、
前記ＵＥは、前記ｌｉｍｉｔｅｄ  ｓｅｒｖｉｃｅ  ｓｔａｔｅになった後に前記ＰｒｏＳｅ  ｄｉｒｅｃｔ  ｃｏｍｍｕｎｉｃａｔｉｏｎの実行中にＰＬＭＮ選択を行わない、ＵＥ。
【請求項７】
前記ＰＬＭＮは、‘ｆｏｒｂｉｄｄｅｎ  ＰＬＭＮｓ’リストに含まれない、請求項６に記載のＵＥ。
【請求項８】
前記ＰＬＭＮは、‘ＰＬＭＮｓ  ｗｉｔｈ  Ｅ−ＵＴＲＡＮ  ｎｏｔ  ａｌｌｏｗｅｄ’リストに含まれない、請求項６に記載のＵＥ。
【発明の詳細な説明】
【技術分野】
【０００１】
以下の説明は無線通信システムに関するもので、より詳しくは端末がＰｒｏＳｅ  ｄｉｒｅｃｔ  ｃｏｍｍｕｎｉｃａｔｉｏｎに係わるＰＬＭＮ（Ｐｕｂｌｉｃ  Ｌａｎｄ  Ｍｏｂｉｌｅ  Ｎｅｔｗｏｒｋ  ｓｅｌｅｃｔｉｏｎ）選択関連動作を行う方法及び装置に関するものである。
【背景技術】
【０００２】
無線通信システムが音声やデータなどの多様な種類の通信サービスを提供するために広範囲に展開されている。一般に、無線通信システムは可用のシステムリソース（帯域幅、伝送パワーなど）を共有して多重使用者との通信を支援することができる多重接続（ｍｕｌｔｉｐｌｅ  ａｃｃｅｓｓ）システムである。多重接続システムの例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明では、端末がＰｒｏＳｅ  ｄｉｒｅｃｔ  ｃｏｍｍｕｎｉｃａｔｉｏｎに係わるＰＬＭＮ（Ｐｕｂｌｉｃ  Ｌａｎｄ  Ｍｏｂｉｌｅ  Ｎｅｔｗｏｒｋ  ｓｅｌｅｃｔｉｏｎ）選択関連動作を行う方法を技術的課題とする。
【０００４】
本発明で達成しようとする技術的課題は以上で言及した技術的課題に制限されず、言及しなかった他の技術的課題は下記の記載から本発明が属する技術分野で通常の知識を有する者に明らかに理解可能であろう。
【課題を解決するための手段】
【０００５】
本発明の一実施例は、無線通信システムにおいて端末がＰｒｏＳｅ  ｄｉｒｅｃｔ  ｃｏｍｍｕｎｉｃａｔｉｏｎに係わるＰＬＭＮ（Ｐｕｂｌｉｃ  Ｌａｎｄ  Ｍｏｂｉｌｅ  Ｎｅｔｗｏｒｋ  ｓｅｌｅｃｔｉｏｎ）選択関連動作を行う方法であって、ＰＬＭＮを選択する段階；及び前記選択されたＰＬＭＮに登録を行う段階を含み、前記端末は、前記選択されたＰＬＭＮへの登録が失敗しても、それ以上ＰＬＭＮ選択過程の実行なしに前記選択されたＰＬＭＮでＰｒｏＳｅ  ｄｉｒｅｃｔ  ｃｏｍｍｕｎｉｃａｔｉｏｎを行い、前記選択されたＰＬＭＮでＰｒｏＳｅ  ｄｉｒｅｃｔ  ｃｏｍｍｕｎｉｃａｔｉｏｎの実行は、ｌｉｍｉｔｅｄ  ｓｅｒｖｉｃｅ  ｓｔａｔｅで行い、前記端末は、前記選択されたＰＬＭＮで適切なセルを捜すことができなかった場合、‘ＰＬＭＮ  ｎｏｔ  ａｌｌｏｗｅｄ’を受信した場合、又は‘ＧＰＲＳ  ｎｏｔ  ａｌｌｏｗｅｄ’を受信した場合、前記ｌｉｍｉｔｅｄ  ｓｅｒｖｉｃｅ  ｓｔａｔｅにある、ＰＬＭＮ選択関連動作実行方法である。
【０００６】
本発明の一実施例は、無線通信システムにおいてＰｒｏＳｅ  ｄｉｒｅｃｔ  ｃｏｍｍｕｎｉｃａｔｉｏｎに係わるＰＬＭＮ（Ｐｕｂｌｉｃ  Ｌａｎｄ  Ｍｏｂｉｌｅ  Ｎｅｔｗｏｒｋ  ｓｅｌｅｃｔｉｏｎ）選択関連動作を行う端末装置であって、送受信装置；及びプロセッサを含み、前記プロセッサは、ＰＬＭＮを選択し、前記選択されたＰＬＭＮに登録を行い、前記選択されたＰＬＭＮへの登録が失敗しても、それ以上ＰＬＭＮ選択過程の実行なしに前記選択されたＰＬＭＮでＰｒｏＳｅ  ｄｉｒｅｃｔ  ｃｏｍｍｕｎｉｃａｔｉｏｎを行い、前記選択されたＰＬＭＮでＰｒｏＳｅ  ｄｉｒｅｃｔ  ｃｏｍｍｕｎｉｃａｔｉｏｎはｌｉｍｉｔｅｄ  ｓｅｒｖｉｃｅ  ｓｔａｔｅで行い、前記端末装置は、前記選択されたＰＬＭＮで適切なセルを捜すことができなかった場合、‘ＰＬＭＮ  ｎｏｔ  ａｌｌｏｗｅｄ’を受信した場合、又は‘ＧＰＲＳ  ｎｏｔ  ａｌｌｏｗｅｄ’を受信した場合、前記ｌｉｍｉｔｅｄ  ｓｅｒｖｉｃｅ  ｓｔａｔｅにある、端末装置である。
【０００７】
前記選択されたＰＬＭＮへの登録失敗の理由は、‘ＰＬＭＮ  ｎｏｔ  ａｌｌｏｗｅｄ’であってもよい。
【０００８】
前記登録失敗の理由は前記ＰＬＭＮに属するセルに送信された位置登録要求に対する応答として受信されることであってもよい。
【０００９】
前記選択されたＰＬＭＮへの登録失敗の理由は、前記端末が前記選択されたＰＬＭＮで適切なセル（ｓｕｉｔａｂｌｅ  ｃｅｌｌ）を捜すことができなかったことであってもよい。
【００１０】
前記ＰｒｏＳｅの選択は前記ＰｒｏＳｅ  ｄｉｒｅｃｔ  ｃｏｍｍｕｎｉｃａｔｉｏｎ区間の間に行うことができる。
【００１１】
前記ＰＬＭＮは必ずしも‘ｆｏｒｂｉｄｄｅｎ  ＰＬＭＮｓ’リストに含まれなくてもよい。
【００１２】
前記ＰＬＭＮは必ずしも‘ＰＬＭＮｓ  ｗｉｔｈ  Ｅ−ＵＴＲＡＮ  ｎｏｔ  ａｌｌｏｗｅｄ’リストに含まれなくてもよい。
【００１３】
前記ＰＬＭＮは必ず‘ａｕｔｈｏｒｉｓｅｄ  ＰＬＭＮｓ  ｆｏｒ  ＰｒｏＳｅ  ｄｉｒｅｃｔ  ｃｏｍｍｕｎｉｃａｔｉｏｎ’リストに含まれてもよい。
本明細書は、例えば、以下の項目も提供する。
（項目１）
無線通信システムにおいて端末がＰｒｏＳｅ  ｄｉｒｅｃｔ  ｃｏｍｍｕｎｉｃａｔｉｏｎに係わるＰＬＭＮ（Ｐｕｂｌｉｃ  Ｌａｎｄ  Ｍｏｂｉｌｅ  Ｎｅｔｗｏｒｋ  ｓｅｌｅｃｔｉｏｎ）選択関連動作を行う方法であって、
ＰＬＭＮを選択する段階；及び
前記選択されたＰＬＭＮに登録を行う段階；
を含み、
前記端末は、前記選択されたＰＬＭＮへの登録が失敗しても、それ以上ＰＬＭＮ選択過程の実行なしに前記選択されたＰＬＭＮでＰｒｏＳｅ  ｄｉｒｅｃｔ  ｃｏｍｍｕｎｉｃａｔｉｏｎを行い、
前記選択されたＰＬＭＮでＰｒｏＳｅ  ｄｉｒｅｃｔ  ｃｏｍｍｕｎｉｃａｔｉｏｎの実行は、ｌｉｍｉｔｅｄ  ｓｅｒｖｉｃｅ  ｓｔａｔｅで行い、
前記端末は、前記選択されたＰＬＭＮで適切なセルを捜すことができなかった場合、‘ＰＬＭＮ  ｎｏｔ  ａｌｌｏｗｅｄ’を受信した場合、又は‘ＧＰＲＳ  ｎｏｔ  ａｌｌｏｗｅｄ’を受信した場合、前記ｌｉｍｉｔｅｄ  ｓｅｒｖｉｃｅ  ｓｔａｔｅにある、ＰＬＭＮ選択関連動作実行方法。
（項目２）
前記選択されたＰＬＭＮへの登録失敗の理由は、‘ＰＬＭＮ  ｎｏｔ  ａｌｌｏｗｅｄ’である、項目１に記載のＰＬＭＮ選択関連動作実行方法。
（項目３）
前記登録失敗の理由は前記ＰＬＭＮに属するセルに送信された位置登録要求に対する応答として受信されることである、項目２に記載のＰＬＭＮ選択関連動作実行方法。
（項目４）
前記選択されたＰＬＭＮへの登録失敗の理由は、前記端末が前記選択されたＰＬＭＮで適切なセル（ｓｕｉｔａｂｌｅ  ｃｅｌｌ）を捜すことができなかったことである、項目１に記載のＰＬＭＮ選択関連動作実行方法。
（項目５）
前記ＰｒｏＳｅの選択は前記ＰｒｏＳｅ  ｄｉｒｅｃｔ  ｃｏｍｍｕｎｉｃａｔｉｏｎ区間の間に行う、項目１に記載のＰＬＭＮ選択関連動作実行方法。
（項目６）
前記ＰＬＭＮは必ずしも‘ｆｏｒｂｉｄｄｅｎ  ＰＬＭＮｓ’リストに含まれない、項目１に記載のＰＬＭＮ選択関連動作実行方法。
（項目７）
前記ＰＬＭＮは必ずしも‘ＰＬＭＮｓ  ｗｉｔｈ  Ｅ−ＵＴＲＡＮ  ｎｏｔ  ａｌｌｏｗｅｄ’リストに含まれない、項目６に記載のＰＬＭＮ選択関連動作実行方法。
（項目８）
前記ＰＬＭＮは必ず‘ａｕｔｈｏｒｉｓｅｄ  ＰＬＭＮｓ  ｆｏｒ  ＰｒｏＳｅ  ｄｉｒｅｃｔ  ｃｏｍｍｕｎｉｃａｔｉｏｎ’リストに含まれる、項目６に記載のＰＬＭＮ選択関連動作実行方法。
（項目９）
無線通信システムにおいてＰｒｏＳｅ  ｄｉｒｅｃｔ  ｃｏｍｍｕｎｉｃａｔｉｏｎに係わるＰＬＭＮ（Ｐｕｂｌｉｃ  Ｌａｎｄ  Ｍｏｂｉｌｅ  Ｎｅｔｗｏｒｋ  ｓｅｌｅｃｔｉｏｎ）選択関連動作を行う端末装置であって、
送受信装置；及び
プロセッサを含み、
前記プロセッサは、ＰＬＭＮを選択し、前記選択されたＰＬＭＮに登録を行い、前記選択されたＰＬＭＮへの登録が失敗しても、それ以上ＰＬＭＮ選択過程の実行なしに前記選択されたＰＬＭＮでＰｒｏＳｅ  ｄｉｒｅｃｔ  ｃｏｍｍｕｎｉｃａｔｉｏｎを行い、
前記選択されたＰＬＭＮでＰｒｏＳｅ  ｄｉｒｅｃｔ  ｃｏｍｍｕｎｉｃａｔｉｏｎはｌｉｍｉｔｅｄ  ｓｅｒｖｉｃｅ  ｓｔａｔｅで行い、
前記端末装置は、前記選択されたＰＬＭＮで適切なセルを捜すことができなかった場合、‘ＰＬＭＮ  ｎｏｔ  ａｌｌｏｗｅｄ’を受信した場合、又は‘ＧＰＲＳ  ｎｏｔ  ａｌｌｏｗｅｄ’を受信した場合、前記ｌｉｍｉｔｅｄ  ｓｅｒｖｉｃｅ  ｓｔａｔｅにある、端末装置。
（項目１０）
前記ＰＬＭＮは必ずしも‘ｆｏｒｂｉｄｄｅｎ  ＰＬＭＮｓ’リストに含まれない、項目９に記載の端末装置。
（項目１１）
前記ＰＬＭＮは必ずしも‘ＰＬＭＮｓ  ｗｉｔｈ  Ｅ−ＵＴＲＡＮ  ｎｏｔ  ａｌｌｏｗｅｄ’リストにも含まれない、項目９に記載の端末装置。
（項目１２）
前記ＰＬＭＮは必ず‘ａｕｔｈｏｒｉｓｅｄ  ＰＬＭＮ  ｆｏｒ  ＰｒｏＳｅ  ｄｉｒｅｃｔ  ｃｏｍｍｕｎｉｃａｔｉｏｎ’リストに含まれる、項目９に記載の端末装置。
【発明の効果】
【００１４】
本発明によると、端末が効果的にＰＬＭＮを選択することができ、従来ＰＬＭＮの選択時に発生し得るＰｉｎｇ−ｐｏｎｇ問題を防止することができる。
【００１５】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００１６】
本明細書に添付する図面は本発明に対する理解を提供するためのもので、本発明の多様な実施形態を示し、明細書の記載と一緒に本発明の原理を説明するためのものである。
【００１７】
【図１】ＥＰＣ（Ｅｖｏｌｖｅｄ  Ｐａｃｋｅｔ  Ｃｏｒｅ）を含むＥＰＳ（Ｅｖｏｌｖｅｄ  Ｐａｃｋｅｔ  Ｓｙｓｔｅｍ）の概略的な構造を示す図である。
【００１８】
【図２】一般的なＥ−ＵＴＲＡＮとＥＰＣのアキテクチャーを示した例示図である。
【００１９】
【図３】制御平面での無線インターフェースプロトコルの構造を示した例示図である。
【００２０】
【図４】使用者平面での無線インターフェースプロトコルの構造を示した例示図である。
【００２１】
【図５】ランダムアクセス過程を説明するためのフローチャートである。
【００２２】
【図６】無線リソース制御（ＲＲＣ）階層での連結過程を示す図である。
【００２３】
【図７】ＰＬＭＮ選択時に発生し得る問題を説明するための図である。
【００２４】
【図８】本発明の実施例によるノード装置の構成を例示した図である。
【発明を実施するための形態】
【００２５】
以下の実施例は本発明の構成要素及び特徴を所定の形態に結合したものである。それぞれの構成要素又は特徴は別途の明示的言及がない限り選択的なものと見なすことができる。それぞれの構成要素又は特徴は他の構成要素又は特徴と結合しなかった形態に実施可能である。また、一部の構成要素及び／又は特徴を結合して本発明の実施例を構成することもできる。本発明の実施例で説明する動作の順序は変更可能である。一実施例の一部の構成又は特徴は他の実施例に含まれることができ、あるいは他の実施例の対応する構成又は特徴に取り替えられることができる。
【００２６】
以下の説明で使う特定の用語は本発明の理解を助けるために提供するもので、このような特定の用語の使用は本発明の技術的思想を逸脱しない範疇内で他の形態に変更可能である。
【００２７】
場合によって、本発明の概念があいまいになることを避けるために、公知の構造及び装置は省略するか、それぞれの構造及び装置の核心機能を中心とするブロック図の形式で図示することができる。また、本明細書の全般にわたって同じ構成要素については同じ図面符号を用いて説明する。
【００２８】
本発明の実施例はＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２系システム、３ＧＰＰシステム、３ＧＰＰ  ＬＴＥ及びＬＴＥ−Ａシステム及び３ＧＰＰ２システムのうち少なくとも一つに関して開示された標準文書によって裏付けられることができる。すなわち、本発明の実施例において本発明の技術的思想を明確に示すために説明しなかった段階又は部分は前記文書によって裏付けられることができる。また、本文書で開示している全ての用語は前記標準文書によって説明可能である。
【００２９】
以下の技術は多様な無線通信システムで使用可能である。明確性のために、以下では３ＧＰＰ  ＬＴＥ及び３ＧＰＰ  ＬＴＥ−Ａシステムを主として説明するが、本発明の技術的思想がこれに制限されるものではない。
【００３０】
本文書で使われる用語は次のように定義される。
【００３１】
−ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）：３ＧＰＰによって開発された、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）に基づく３世代（Ｇｅｎｅｒａｔｉｏｎ）移動通信技術。
【００３２】
−ＥＰＳ（Ｅｖｏｌｖｅｄ  Ｐａｃｋｅｔ  Ｓｙｓｔｅｍ）：ＩＰ（Ｉｎｔｅｒｎｅｔ  Ｐｒｏｔｏｃｏｌ）に基づくＰＳ（ｐａｃｋｅｔ  ｓｗｉｔｃｈｅｄ）コアネットワークであるＥＰＣ（Ｅｖｏｌｖｅｄ  Ｐａｃｋｅｔ  Ｃｏｒｅ）とＬＴＥ／ＵＴＲＡＮなどのアクセスネットワークで構成されたネットワークシステム。ＵＭＴＳが進化した形態のネットワークである。
【００３３】
−ＮｏｄｅＢ：ＧＥＲＡＮ／ＵＴＲＡＮの基地局。屋外に設置され、カバレッジはマクロセル（ｍａｃｒｏ  ｃｅｌｌ）規模である。
【００３４】
−ｅＮｏｄｅＢ：Ｅ−ＵＴＲＡＮの基地局。屋外に設置され、カバレッジはマクロセル（ｍａｃｒｏ  ｃｅｌｌ）規模である。
【００３５】
−ＵＥ（Ｕｓｅｒ  Ｅｑｕｉｐｍｅｎｔ）：使用者器機。ＵＥは端末（ｔｅｒｍｉｎａｌ）、ＭＥ（Ｍｏｂｉｌｅ  Ｅｑｕｉｐｍｅｎｔ）、ＭＳ（Ｍｏｂｉｌｅ  Ｓｔａｔｉｏｎ）などの用語でも言える。また、ＵＥはノートブック型パソコン、携帯電話、ＰＤＡ（Ｐｅｒｓｏｎａｌ  Ｄｉｇｉｔａｌ  Ａｓｓｉｓｔａｎｔ）、スマートフォン、マルチメディア器機などの携帯可能な器機であってもよく、あるいはＰＣ（Ｐｅｒｓｏｎａｌ  Ｃｏｍｐｕｔｅｒ）、車両搭載装置などの携帯不可の器機であってもよい。ＭＴＣ関連の内容でＵＥ又は端末という用語はＭＴＣデバイスを指すこともある。
【００３６】
−ＨＮＢ（Ｈｏｍｅ  ＮｏｄｅＢ）：ＵＭＴＳネットワークの基地局であって、屋内に設置され、カバレッジはマイクロセル（ｍｉｃｒｏ  ｃｅｌｌ）規模である。
【００３７】
−ＨｅＮＢ（Ｈｏｍｅ  ｅＮｏｄｅＢ）：ＥＰＳネットワークの基地局であって、屋内に設置され、カバレッジはマイクロセル規模である。
【００３８】
−ＭＭＥ（Ｍｏｂｉｌｉｔｙ  Ｍａｎａｇｅｍｅｎｔ  Ｅｎｔｉｔｙ）：移動性管理（Ｍｏｂｉｌｉｔｙ  Ｍａｎａｇｅｍｅｎｔ；ＭＭ）、セッション管理（Ｓｅｓｓｉｏｎ  Ｍａｎａｇｅｍｅｎｔ；ＳＭ）機能を行うＥＰＳネットワークのネットワークノード。
【００３９】
−ＰＤＮ−ＧＷ（Ｐａｃｋｅｔ  Ｄａｔａ  Ｎｅｔｗｏｒｋ−Ｇａｔｅｗａｙ）／ＰＧＷ：ＵＥ  ＩＰ住所割当て、パケットスクリーニング（ｓｃｒｅｅｎｉｎｇ）及びフィルタリング、課金データ収集（ｃｈａｒｇｉｎｇ  ｄａｔａ  ｃｏｌｌｅｃｔｉｏｎ）の機能などを行うＥＰＳネットワークのネットワークノード。
【００４０】
−ＳＧＷ（Ｓｅｒｖｉｎｇ  Ｇａｔｅｗａｙ）：移動性アンカー（ｍｏｂｉｌｉｔｙ  ａｎｃｈｏｒ）、パケットルーティング（ｒｏｕｔｉｎｇ）、遊休（ｉｄｌｅ）モードパケットバッファリング、ＭＭＥがＵＥをページングするようにトリガリングする機能などを行うＥＰＳネットワークのネットワークノード。
【００４１】
−ＮＡＳ（Ｎｏｎ−Ａｃｃｅｓｓ  Ｓｔｒａｔｕｍ）：ＵＥとＭＭＥ間の制御プレーン（ｃｏｎｔｒｏｌ  ｐｌａｎｅ）の上位端（ｓｔｒａｔｕｍ）。ＬＴＥ／ＵＭＴＳプロトコルスタックにおいてＵＥとコアネットワーク間のシグナリング、トラフィックメッセージを取り交わすための機能的な階層であって、ＵＥの移動性を支援し、ＵＥとＰＤＮ  ＧＷ間のＩＰ連結を確立（ｅｓｔａｂｌｉｓｈ）及び維持するセッション管理過程を支援することを主な機能とする。
【００４２】
−ＰＤＮ（Ｐａｃｋｅｔ  Ｄａｔａ  Ｎｅｔｗｏｒｋ）：特定のサービスを支援するサーバー（例えば、ＭＭＳ（Ｍｕｌｔｉｍｅｄｉａ  Ｍｅｓｓａｇｉｎｇ  Ｓｅｒｖｉｃｅ）サーバー、ＷＡＰ（Ｗｉｒｅｌｅｓｓ  Ａｐｐｌｉｃａｔｉｏｎ  Ｐｒｏｔｏｃｏｌ）サーバーなど）が位置しているネットワーク。
【００４３】
−ＰＤＮ連結：一つのＩＰ住所（一つのＩＰｖ４住所及び／又は一つのＩＰｖ６プレフィックス）で表現される、ＵＥとＰＤＮ間の論理的連結。
【００４４】
−ＲＡＮ（Ｒａｄｉｏ  Ａｃｃｅｓｓ  Ｎｅｔｗｏｒｋ）：３ＧＰＰネットワークでＮｏｄｅＢ、ｅＮｏｄｅＢ及びこれらを制御するＲＮＣ（Ｒａｄｉｏ  Ｎｅｔｗｏｒｋ  Ｃｏｎｔｒｏｌｌｅｒ）を含む単位。ＵＥ間に存在し、コアネットワークへの連結を提供する。
【００４５】
−ＨＬＲ（Ｈｏｍｅ  Ｌｏｃａｔｉｏｎ  Ｒｅｇｉｓｔｅｒ）／ＨＳＳ（Ｈｏｍｅ  Ｓｕｂｓｃｒｉｂｅｒ  Ｓｅｒｖｅｒ）：３ＧＰＰネットワーク内の加入者情報を持っているデータベース。ＨＳＳは設定保存（ｃｏｎｆｉｇｕｒａｔｉｏｎ  ｓｔｏｒａｇｅ）、アイデンティティ管理（ｉｄｅｎｔｉｔｙ  ｍａｎａｇｅｍｅｎｔ）、使用者状態保存などの機能を行うことができる。
【００４６】
−ＰＬＭＮ（Ｐｕｂｌｉｃ  Ｌａｎｄ  Ｍｏｂｉｌｅ  Ｎｅｔｗｏｒｋ）：個人に移動通信サービスを提供する目的で構成されたネットワーク。オペレーター別に区分されて構成できる。
【００４７】
−Ｐｒｏｘｉｍｉｔｙ  Ｓｅｒｖｉｃｅ（又はＰｒｏＳｅ  Ｓｅｒｖｉｃｅ又はＰｒｏｘｉｍｉｔｙ  ｂａｓｅｄ  Ｓｅｒｖｉｃｅ）：物理的に近接した装置間のディスカバリー及び互いに直接的なコミュニケーション又は基地局を介してのコミュニケーション又は第３の装置を介してのコミュニケーションが可能なサービス。この際、使用者平面データ（ｕｓｅｒ  ｐｌａｎｅ  ｄａｔａ）は３ＧＰＰコアネットワーク（例えば、ＥＰＣ）を介せずに直接データ経路（ｄｉｒｅｃｔ  ｄａｔａ  ｐａｔｈ）を介して交換される。
【００４８】
−ＰｒｏＳｅコミュニケーション：二つ以上のＰｒｏＳｅ可能な端末間の、ＰｒｏＳｅコミュニケーション経路を介してのコミュニケーションを意味する。特に他に言及しない限り、ＰｒｏＳｅコミュニケーションはＰｒｏＳｅ  Ｅ−ＵＴＲＡコミュニケーション、二つの端末間のＰｒｏＳｅ−ａｓｓｉｓｔｅｄ  ＷＬＡＮ  ｄｉｒｅｃｔ  ｃｏｍｍｕｎｉｃａｔｉｏｎ、ＰｒｏＳｅグループコミュニケーション又はＰｒｏＳｅブロードキャストコミュニケーションの一つを意味することができる。
【００４９】
−ＰｒｏＳｅ  Ｅ−ＵＴＲＡコミュニケーション：ＰｒｏＳｅ  Ｅ−ＵＴＲＡコミュニケーション経路を用いるＰｒｏＳｅコミュニケーション
【００５０】
−ＰｒｏＳｅ−ａｓｓｉｓｔｅｄ  ＷＬＡＮ  ｄｉｒｅｃｔ  ｃｏｍｍｕｎｉｃａｔｉｏｎ：直接コミュニケーション経路を用いるＰｒｏＳｅコミュニケーション
【００５１】
−ＰｒｏＳｅコミュニケーション経路：ＰｒｏＳｅコミュニケーションを支援するコミュニケーション経路であって、ＰｒｏＳｅ  Ｅ−ＵＴＲＡコミュニケーション経路はＥ−ＵＴＲＡを用いてＰｒｏＳｅ−ｅｎａｂｌｅｄ  ＵＥ間で又はローカルｅＮＢを介して確立できる。ＰｒｏＳｅ−ａｓｓｉｓｔｅｄ  ＷＬＡＮ  ｄｉｒｅｃｔ  ｃｏｍｍｕｎｉｃａｔｉｏｎ  ｐａｔｈはＷＬＡＮを用いてＰｒｏＳｅ−ｅｎａｂｌｅｄ  ＵＥｓ間で直接確立できる。
【００５２】
−ＥＰＣ経路（又はｉｎｆｒａｓｔｒｕｃｔｕｒｅ  ｄａｔａ  ｐａｔｈ）：ＥＰＣを介しての使用者平面コミュニケーション経路
【００５３】
−ＰｒｏＳｅディスカバリー：Ｅ−ＵＴＲＡを用いて、近接したＰｒｏＳｅ−ｅｎａｂｌｅｄ端末を識別／確認する過程
【００５４】
−ＰｒｏＳｅ  Ｇｒｏｕｐ  Ｃｏｍｍｕｎｉｃａｔｉｏｎ：近接した二つ以上のＰｒｏＳｅ−ｅｎａｂｌｅｄ端末の間で、共通コミュニケーション経路を用いる一対多のＰｒｏＳｅコミュニケーション
【００５５】
−ＰｒｏＳｅ  ＵＥ−ｔｏ−Ｎｅｔｗｏｒｋ  Ｒｅｌａｙ：Ｅ−ＵＴＲＡを用いるＰｒｏＳｅ−ｅｎａｂｌｅｄネットワークとＰｒｏＳｅ−ｅｎａｂｌｅｄパブリックセーフティー端末間のコミュニケーションリレーとして動作するＰｒｏＳｅ−ｅｎａｂｌｅｄパブリックセーフティー端末
【００５６】
−ＰｒｏＳｅ  ＵＥ−ｔｏ−ＵＥ  Ｒｅｌａｙ：二つ以上のＰｒｏＳｅ−ｅｎａｂｌｅｄパブリックセーフティー端末間でＰｒｏＳｅコミュニケーションリレーとして動作するＰｒｏＳｅ−ｅｎａｂｌｅｄパブリックセーフティー端末
【００５７】
−Ｒｅｍｏｔｅ  ＵＥ：ＵＥ−ｔｏ−Ｎｅｔｗｏｒｋ  Ｒｅｌａｙ動作ではＥ−ＵＴＲＡＮによってサービスを受けずにＰｒｏＳｅ  ＵＥ−ｔｏ−Ｎｅｔｗｏｒｋ  Ｒｅｌａｙを介してＥＰＣネットワークに連結される、つまりＰＤＮ連結を受けるＰｒｏＳｅ−ｅｎａｂｌｅｄパブリックセーフティー端末であり、ＵＥ−ｔｏ−ＵＥ  Ｒｅｌａｙ動作ではＰｒｏＳｅ  ＵＥ−ｔｏ−ＵＥ  Ｒｅｌａｙを介して他のＰｒｏＳｅ−ｅｎａｂｌｅｄパブリックセーフティー端末と通信するＰｒｏＳｅ−ｅｎａｂｌｅｄパブリックセーフティー端末。
【００５８】
−ＰｒｏＳｅ−ｅｎａｂｌｅｄ  Ｎｅｔｗｏｒｋ：ＰｒｏＳｅディスカバリー、ＰｒｏＳｅコミュニケーション及び／又はＰｒｏＳｅ−ａｓｓｉｓｔｅｄ  ＷＬＡＮ直接通信を支援するネットワーク。以下では、ＰｒｏＳｅ−ｅｎａｂｌｅｄ  Ｎｅｔｗｏｒｋを簡単にネットワークと言える。
【００５９】
−ＰｒｏＳｅ−ｅｎａｂｌｅｄ  ＵＥ：ＰｒｏＳｅディスカバリー、ＰｒｏＳｅコミュニケーション及び／又はＰｒｏＳｅ−ａｓｓｉｓｔｅｄ  ＷＬＡＮ直接通信を支援する端末。以下では、ＰｒｏＳｅ−ｅｎａｂｌｅｄ  ＵＥ及びＰｒｏＳｅ−ｅｎａｂｌｅｄ  Ｐｕｂｌｉｃ  Ｓａｆｅｔｙ  ＵＥを端末と言える。
【００６０】
−Ｐｒｏｘｉｍｉｔｙ：ディスカバリーとコミュニケーションでそれぞれ定義されるｐｒｏｘｉｍｉｔｙ判定基準を満たすもの。
【００６１】
−ＳＬＰ（ＳＵＰＬ  Ｌｏｃａｔｉｏｎ  Ｐｌａｔｆｏｒｍ）：位置サービス管理（Ｌｏｃａｔｉｏｎ  Ｓｅｒｖｉｃｅ  Ｍａｎａｇｅｍｅｎｔ）とポジション決定（Ｐｏｓｉｔｉｏｎ  Ｄｅｔｅｒｍｉｎａｔｉｏｎ）を管掌するエンティティ。ＳＬＰはＳＬＣ（ＳＵＰＬ  Ｌｏｃａｔｉｏｎ  Ｃｅｎｔｅｒ）機能とＳＰＣ（ＳＵＰＬ  Ｐｏｓｉｔｉｏｎｉｎｇ  Ｃｅｎｔｅｒ）機能を含む。詳細な事項はＯｐｅｎ  Ｍｏｂｉｌｅ  Ａｌｌｉａｎｃｅ（ＯＭＡ）標準文書ＯＭＡ  ＡＤ  ＳＵＰＬ：“Ｓｅｃｕｒｅ  Ｕｓｅｒ  Ｐｌａｎｅ  Ｌｏｃａｔｉｏｎ  Ａｒｃｈｉｔｅｃｔｕｒｅ”を参考する。
【００６２】
−ＵＳＤ（Ｕｓｅｒ  Ｓｅｒｖｉｃｅ  Ｄｅｓｃｒｉｐｔｉｏｎ）：アプリケーション／サービスレイヤーは各ＭＢＭＳサービスのためのＴＭＧＩ（Ｔｅｍｐｏｒａｒｙ  Ｍｏｂｉｌｅ  Ｇｒｏｕｐ  Ｉｄｅｎｔｉｔｙ）、セッションの開始及び終了時間、ｆｒｅｑｕｅｎｃｉｅｓ、ＭＢＭＳサービス地域に属するＭＢＭＳ  ｓｅｒｖｉｃｅ  ａｒｅａ  ｉｄｅｎｔｉｔｉｅｓ（ＭＢＭＳ  ＳＡＩｓ）情報などをＵＳＤに含めて端末に送信する。詳細な事項は３ＧＰＰ  ＴＳ  ２３．２４６の内容を参考する。
【００６３】
−ＩＳＲ（Ｉｄｌｅ  ｍｏｄｅ  Ｓｉｇｎａｌｌｉｎｇ  Ｒｅｄｕｃｔｉｏｎ）：端末がＥ−ＵＴＲＡＮとＵＴＲＡＮ／ＧＥＲＡＮ間をよく移動する場合、反復的な位置登録手順によるネットワークリソースの浪費が発生する。これを減らすための方法として、端末がｉｄｌｅ  ｍｏｄｅの場合、Ｅ−ＵＴＲＡＮとＵＴＲＡＮ／ＧＥＲＡＮを介してそれぞれＭＭＥとＳＧＳＮ（以下、この二つのノードをｍｏｂｉｌｉｔｙ  ｍａｎａｇｅｍｅｎｔ  ｎｏｄｅと言う）に位置登録を行った後、既に登録した二つのＲＡＴ（Ｒａｄｉｏ  Ａｃｃｅｓｓ  Ｔｅｃｈｎｏｌｏｇｙ）間の移動又はｃｅｌｌ  ｒｅｓｅｌｅｃｔｉｏｎを行った場合、別途の位置登録を行わないようにする技術である。したがって、該当端末へのＤＬ（ｄｏｗｎｌｉｎｋ）データが到着する場合、ページングをＥ−ＵＴＲＡＮとＵＴＲＡＮ／ＧＥＲＡＮに同時に送ることにより、端末を成功的に捜してＤＬデータを伝達することができる。［３ＧＰＰ  ＴＳ  ２３．４０１及び３ＧＰＰ  ＴＳ  ２３．０６０参照］
【００６４】
ＥＰＣ（Ｅｖｏｌｖｅｄ  Ｐａｃｋｅｔ  Ｃｏｒｅ）
【００６５】
図１はＥＰＣ（Ｅｖｏｌｖｅｄ  Ｐａｃｋｅｔ  Ｃｏｒｅ）を含むＥＰＳ（Ｅｖｏｌｖｅｄ  Ｐａｃｋｅｔ  Ｓｙｓｔｅｍ）の概略的な構造を示す図である。
【００６６】
ＥＰＣは３ＧＰＰ技術の性能を向上するためのＳＡＥ（Ｓｙｓｔｅｍ  Ａｒｃｈｉｔｅｃｔｕｒｅ  Ｅｖｏｌｕｔｉｏｎ）の核心的な要素である。ＳＡＥは多様な種類のネットワーク間の移動性を支援するネットワーク構造を決定する研究課題に相当する。ＳＡＥは、例えばＩＰに基づいて多様な無線接続技術を支援し、より向上したデータ伝送能力を提供するなどの最適化したパケットに基づくシステムを提供することを目標とする。
【００６７】
具体的に、ＥＰＣは３ＧＰＰ  ＬＴＥシステムのためのＩＰ移動通信システムのコアネットワーク（Ｃｏｒｅ  Ｎｅｔｗｏｒｋ）であり、パケットに基づく実時間及び非実時間サービスを支援することができる。既存の移動通信システム（すなわち、２世代又は３世代移動通信システム）では音声のためのＣＳ（Ｃｉｒｃｕｉｔ−Ｓｗｉｔｃｈｅｄ）及びデータのためのＰＳ（Ｐａｃｋｅｔ−Ｓｗｉｔｃｈｅｄ）の二つの区別されるサブドメインによってコアネットワークの機能が具現された。しかし、３世代移動通信システムの進化である３ＧＰＰ  ＬＴＥシステムでは、ＣＳ及びＰＳのサブドメインが一つのＩＰドメインに単一化した。すなわち、３ＧＰＰ  ＬＴＥシステムでは、ＩＰ能力（ｃａｐａｂｉｌｉｔｙ）を有する端末と端末間の連結が、ＩＰに基づく基地局（例えば、ｅＮｏｄｅＢ（ｅｖｏｌｖｅｄ  ＮｏｄｅＢ））、ＥＰＣ、アプリケーションドメイン（例えば、ＩＭＳ（ＩＰ  Ｍｕｌｔｉｍｅｄｉａ  Ｓｕｂｓｙｓｔｅｍ））で構成されることができる。すなわち、ＥＰＣは端対端（ｅｎｄ−ｔｏ−ｅｎｄ）ＩＰサービス具現に必須な構造である。
【００６８】
ＥＰＣは多様な構成要素を含むことができ、図１は、その一部に相当する、ＳＧＷ（Ｓｅｒｖｉｎｇ  Ｇａｔｅｗａｙ）、ＰＤＮ  ＧＷ（Ｐａｃｋｅｔ  Ｄａｔａ  Ｎｅｔｗｏｒｋ  Ｇａｔｅｗａｙ）、ＭＭＥ（Ｍｏｂｉｌｉｔｙ  Ｍａｎａｇｅｍｅｎｔ  Ｅｎｔｉｔｙ）、ＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔｉｎｇ  Ｎｏｄｅ）、ｅＰＤＧ（ｅｎｈａｎｃｅｄ  Ｐａｃｋｅｔ  Ｄａｔａ  Ｇａｔｅｗａｙ）を示す。
【００６９】
ＳＧＷ（又はＳ−ＧＷ）は無線接続ネットワーク（ＲＡＮ）とコアネットワーク間の境界点として動作し、ｅＮｏｄｅＢとＰＤＮ  ＧＷ間のデータ経路を維持する機能を行う要素である。また、端末がｅＮｏｄｅＢによってサービング（ｓｅｒｖｉｎｇ）される領域にわたって移動する場合、ＳＧＷはローカル移動性アンカーポイント（ａｎｃｈｏｒ  ｐｏｉｎｔ）の役目をする。すなわち、Ｅ−ＵＴＲＡＮ（３ＧＰＰリリース８以後に定義されるＥｖｏｌｖｅｄ−ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｔｅｒｒｅｓｔｒｉａｌ  Ｒａｄｉｏ  Ａｃｃｅｓｓ  Ｎｅｔｗｏｒｋ）内での移動性のためにＳＧＷを介してパケットがルーティングされることができる。また、ＳＧＷは他の３ＧＰＰネットワーク（３ＧＰＰリリース８以前に定義されるＲＡＮ、例えばＵＴＲＡＮ又はＧＥＲＡＮ（ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）／ＥＤＧＥ（Ｅｎｈａｎｃｅｄ  Ｄａｔａ  ｒａｔｅｓ  ｆｏｒ  Ｇｌｏｂａｌ  Ｅｖｏｌｕｔｉｏｎ）Ｒａｄｉｏ  Ａｃｃｅｓｓ  Ｎｅｔｗｏｒｋ）との移動性のためのアンカーポイントとして機能することもできる。
【００７０】
ＰＤＮ  ＧＷ（又はＰ−ＧＷ）はパケットデータネットワークに向かうデータインターフェースの終了点（ｔｅｒｍｉｎａｔｉｏｎ  ｐｏｉｎｔ）に相当する。ＰＤＮ  ＧＷは政策執行特徴（ｐｏｌｉｃｙ  ｅｎｆｏｒｃｅｍｅｎｔ  ｆｅａｔｕｒｅｓ）、パケットフィルタリング（ｐａｃｋｅｔ  ｆｉｌｔｅｒｉｎｇ）、課金支援（ｃｈａｒｇｉｎｇ  ｓｕｐｐｏｒｔ）などを支援することができる。また、３ＧＰＰネットワークと非３ＧＰＰネットワーク（例えば、Ｉ−ＷＬＡＮ（Ｉｎｔｅｒｗｏｒｋｉｎｇ  Ｗｉｒｅｌｅｓｓ  Ｌｏｃａｌ  Ａｒｅａ  Ｎｅｔｗｏｒｋ）のような信頼できないネットワーク、ＣＤＭＡ（Ｃｏｄｅ  ｄｉｖｉｓｉｏｎ  ｍｕｌｔｉｐｌｅ  ａｃｃｅｓｓ）ネットワーク又はＷｉＭａｘのような信頼できるネットワーク）との移動性管理のためのアンカーポイントの役目をすることができる。
【００７１】
図１のネットワーク構造の例示ではＳＧＷとＰＤＮ  ＧＷが別個のゲートウェイで構成されるものを示すが、二つのゲートウェイが単一ゲートウェイ構成オプション（Ｓｉｎｇｌｅ  Ｇａｔｅｗａｙ  Ｃｏｎｆｉｇｕｒａｔｉｏｎ  Ｏｐｔｉｏｎ）によって具現されることもできる。
【００７２】
ＭＭＥは、ＵＥのネットワーク連結に対するアクセス、ネットワークリソースの割当て、トラッキング（ｔｒａｃｋｉｎｇ）、ページング（ｐａｇｉｎｇ）、ローミング（ｒｏａｍｉｎｇ）及びハンドオーバーなどを支援するためのシグナリング及び制御機能を行う要素である。ＭＭＥは加入者及びセッション管理に係わる制御平面（ｃｏｎｔｒｏｌ  ｐｌａｎｅ）の機能を制御する。ＭＭＥは幾多のｅＮｏｄｅＢを管理し、他の２Ｇ／３Ｇネットワークに対するハンドオーバーのための従来のゲートウェイの選択のためのシグナリングを行う。また、ＭＭＥは保安過程（Ｓｅｃｕｒｉｔｙ  Ｐｒｏｃｅｄｕｒｅｓ）、端末対ネットワークセッションハンドリング（Ｔｅｒｍｉｎａｌ−ｔｏ−ｎｅｔｗｏｒｋ  Ｓｅｓｓｉｏｎ  Ｈａｎｄｌｉｎｇ）、遊休端末位置決定管理（Ｉｄｌｅ  Ｔｅｒｍｉｎａｌ  Ｌｏｃａｔｉｏｎ  Ｍａｎａｇｅｍｅｎｔ）などの機能を行う。
【００７３】
ＳＧＳＮは他の３ＧＰＰネットワーク（例えば、ＧＰＲＳネットワーク）に対する使用者の移動性管理及び認証（ａｕｔｈｅｎｔｉｃａｔｉｏｎ）のような全てのパケットデータをハンドリングする。
【００７４】
ｅＰＤＧは信頼できない非３ＧＰＰネットワーク（例えば、Ｉ−ＷＬＡＮ、ＷｉＦｉホットスポット（ｈｏｔｓｐｏｔ）など）に対する保安ノードとしての役目をする。
【００７５】
図１を参照して説明したように、ＩＰ能力を有する端末は、３ＧＰＰアクセスはもちろんのこと、非３ＧＰＰアクセスに基づいてもＥＰＣ内の多様な要素を介して事業者（すなわち、オペレーター（ｏｐｅｒａｔｏｒ））が提供するＩＰサービスネットワーク（例えば、ＩＭＳ）にアクセスすることができる。
【００７６】
また、図１では多様なレファレンスポイント（例えば、Ｓ１−Ｕ、Ｓ１−ＭＭＥなど）を示す。３ＧＰＰシステムでは、Ｅ−ＵＴＲＡＮ及びＥＰＣの相異なる機能個体（ｆｕｎｃｔｉｏｎａｌ  ｅｎｔｉｔｙ）に存在する二つの機能を連結する概念的なリンクをレファレンスポイント（ｒｅｆｅｒｅｎｃｅ  ｐｏｉｎｔ）と定義する。次の表１は図１に示したレファレンスポイントをまとめたものである。表１の例示の外にもネットワーク構造によって多様なレファレンスポイントが存在することができる。
【００７７】
【表１−１】
0006769972.tif 000002
【表１−２】
0006769972.tif 000003
【００７８】
図１に示したレファレンスポイントのうちＳ２ａ及びＳ２ｂは非３ＧＰＰインターフェースに相当する。Ｓ２ａは信頼できる非３ＧＰＰアクセス及びＰＤＮ  ＧＷ間の関連制御及び移動性支援を使用者平面に提供するレファレンスポイントである。Ｓ２ｂはｅＰＤＧ及びＰＤＮ  ＧＷ間の関連制御及び移動性支援を使用者平面に提供するレファレンスポイントである。
【００７９】
図２は一般的なＥ−ＵＴＲＡＮとＥＰＣのアキテクチャーを示した例示図である。
【００８０】
図示のように、ｅＮｏｄｅＢはＲＲＣ（Ｒａｄｉｏ  Ｒｅｓｏｕｒｃｅ  Ｃｏｎｔｒｏｌ）連結が活性化しているうちにゲートウェイへのルーティング、ページングメッセージのスケジューリング及び伝送、ブロードキャストチャネル（ＢＣＨ）のスケジューリング及び伝送、上りリンク及び下りリンクでのリソースのＵＥへの動的割当て、ｅＮｏｄｅＢの測定のための設定及び提供、無線ベアラー制御、無線許可制御（ｒａｄｉｏ  ａｄｍｉｓｓｉｏｎ  ｃｏｎｔｒｏｌ）、及び連結移動性制御などのための機能を行うことができる。ＥＰＣ内ではページング発生、ＬＴＥ＿ＩＤＬＥ状態管理、使用者平面の暗号化、ＳＡＥベアラー制御、ＮＡＳシグナリングの暗号化及び無欠性保護機能を行うことができる。
【００８１】
図３は端末と基地局間の制御平面での無線インターフェースプロトコル（Ｒａｄｉｏ  Ｉｎｔｅｒｆａｃｅ  Ｐｒｏｔｏｃｏｌ）の構造を示した例示図、図４は端末と基地局間の使用者平面での無線インターフェースプロトコルの構造を示した例示図である。
【００８２】
前記無線インターフェースプロトコルは３ＧＰＰ無線接続網規格を基盤とする。前記無線インターフェースプロトコルは水平的に物理階層（Ｐｈｙｓｉｃａｌ  Ｌａｙｅｒ）、データリンク階層（Ｄａｔａ  Ｌｉｎｋ  Ｌａｙｅｒ）及びネットワーク階層（Ｎｅｔｗｏｒｋ  Ｌａｙｅｒ）からなり、垂直的にはデータ情報伝送のための使用者平面（Ｕｓｅｒ  Ｐｌａｎｅ）と制御信号（Ｓｉｇｎａｌｉｎｇ）伝達のための制御平面（Ｃｏｎｔｒｏｌ  ｐｌａｎｅ）に区分される。
【００８３】
前記プロトコル階層は通信システムで広く知られた開放型システム間の相互接続（Ｏｐｅｎ  Ｓｙｓｔｅｍ  Ｉｎｔｅｒｃｏｎｎｅｃｔｉｏｎ；ＯＳＩ）基準モデルの下位３個階層を基にしてＬ１（第１階層）、Ｌ２（第２階層）、Ｌ３（第３階層）に区分されることができる。
【００８４】
以下で、前記図３に示した制御平面の無線プロトコルと、図４に示した使用者平面での無線プロトコルの各階層を説明する。
【００８５】
第１階層である物理階層は物理チャネル（Ｐｈｙｓｉｃａｌ  Ｃｈａｎｎｅｌ）を用いて情報伝送サービス（Ｉｎｆｏｒｍａｔｉｏｎ  Ｔｒａｎｓｆｅｒ  Ｓｅｒｖｉｃｅ）を提供する。前記物理階層は上位の媒体接続制御（Ｍｅｄｉｕｍ  Ａｃｃｅｓｓ  Ｃｏｎｔｒｏｌ）階層とは伝送チャネル（Ｔｒａｎｓｐｏｒｔ  Ｃｈａｎｎｅｌ）を介して連結されており、前記伝送チャネルを介して媒体接続制御階層と物理階層間のデータが伝達される。そして、相異なる物理階層の間、つまり送信側と受信側の物理階層の間は物理チャネルを介してデータが伝達される。
【００８６】
物理チャネル（Ｐｈｙｓｉｃａｌ  Ｃｈａｎｎｅｌ）は時間軸上の複数のサブフレームと周波数軸上の複数のサブキャリア（Ｓｕｂ−ｃａｒｒｉｅｒ）で構成される。ここで、一つのサブフレーム（Ｓｕｂ−ｆｒａｍｅ）は時間軸上の複数のシンボル（Ｓｙｍｂｏｌ）と複数のサブキャリアで構成される。一つのサブフレームは複数のリソースブロック（Ｒｅｓｏｕｒｃｅ  Ｂｌｏｃｋ）で構成され、一つのリソースブロックは複数のシンボル（Ｓｙｍｂｏｌ）と複数のサブキャリアで構成される。データが伝送される単位時間であるＴＴＩ（Ｔｒａｎｓｍｉｓｓｉｏｎ  Ｔｉｍｅ  Ｉｎｔｅｒｖａｌ）は一つのサブフレームに相当する１ｍｓである。
【００８７】
前記送信側と受信側の物理階層に存在する物理チャネルは、３ＧＰＰ  ＬＴＥによれば、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）及びＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）に区分することができる。
【００８８】
第２階層にはさまざまな階層が存在する。
【００８９】
まず、第２階層の媒体接続制御（Ｍｅｄｉｕｍ  Ａｃｃｅｓｓ  Ｃｏｎｔｒｏｌ；ＭＡＣ）階層は多様な論理チャネル（Ｌｏｇｉｃａｌ  Ｃｈａｎｎｅｌ）を多様な伝送チャネルにマッピングする役目をし、また多様な論理チャネルを一つの伝送チャネルにマッピングする論理チャネル多重化（Ｍｕｌｔｉｐｌｅｘｉｎｇ）の役目を行う。ＭＡＣ階層は上位階層であるＲＬＣ階層とは論理チャネル（Ｌｏｇｉｃａｌ  Ｃｈａｎｎｅｌ）で連結されており、論理チャネルは、大別して、伝送される情報の種類によって制御平面（Ｃｏｎｔｒｏｌ  ｐｌａｎｅ）の情報を送信する制御チャネル（Ｃｏｎｔｒｏｌ  Ｃｈａｎｎｅｌ）と使用者平面（Ｕｓｅｒ  Ｐｌａｎｅ）の情報を送信するトラフィックチャネル（Ｔｒａｆｆｉｃ  Ｃｈａｎｎｅｌ）に区分される。
【００９０】
第２階層の無線リンク制御（Ｒａｄｉｏ  Ｌｉｎｋ  Ｃｏｎｔｒｏｌ；ＲＬＣ）階層は上位階層から受信したデータを分割（Ｓｅｇｍｅｎｔａｔｉｏｎ）及び連結（Ｃｏｎｃａｔｅｎａｔｉｏｎ）して、下位階層が無線区間にデータを送信するのに適するようにデータの大きさを調節する役目を行う。
【００９１】
第２階層のパケットデータ収斂プロトコル（Ｐａｃｋｅｔ  Ｄａｔａ  Ｃｏｎｖｅｒｇｅｎｃｅ  Ｐｒｏｔｏｃｏｌ；ＰＤＣＰ）階層はＩＰｖ４又はＩＰｖ６のようなＩＰパケットの伝送時に帯域幅の小さな無線区間で効率的に送信するために、相対的に大きくて不必要な制御情報を含んでいるＩＰパケットヘッダーのサイズを減らすヘッダー圧縮（Ｈｅａｄｅｒ  Ｃｏｍｐｒｅｓｓｉｏｎ）の機能を行う。また、ＬＴＥシステムではＰＤＣＰ階層が保安（Ｓｅｃｕｒｉｔｙ）機能も行う。これは第３者のデータ傍受を防止する暗号化（Ｃｉｐｈｅｒｉｎｇ）と第３者のデータ操作を防止する無欠性保護（Ｉｎｔｅｇｒｉｔｙ  ｐｒｏｔｅｃｔｉｏｎ）で構成される。
【００９２】
第３階層の最上部に位置する無線リソース制御（Ｒａｄｉｏ  Ｒｅｓｏｕｒｃｅ  Ｃｏｎｔｒｏｌ；以下ＲＲＣと略称する）階層は制御平面でのみ定義され、無線運搬子（Ｒａｄｉｏ  Ｂｅａｒｅｒ；ＲＢと略称する）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して論理チャネル、伝送チャネル及び物理チャネルの制御を担う。この際、ＲＢは端末とＥ−ＵＴＲＡＮ間のデータ伝達のために第２階層によって提供されるサービスを意味する。
【００９３】
前記端末のＲＲＣと無線網のＲＲＣ階層の間にＲＲＣ連結（ＲＲＣ  ｃｏｎｎｅｃｔｉｏｎ）がある場合、端末はＲＲＣ連結状態（Ｃｏｎｎｅｃｔｅｄ  Ｍｏｄｅ）にあるようになり、そうでない場合はＲＲＣ遊休モード（Ｉｄｌｅ  ｍｏｄｅ）にあるようになる。
【００９４】
以下で端末のＲＲＣ状態（ＲＲＣ  ｓｔａｔｅ）とＲＲＣ連結方法について説明する。ＲＲＣ状態とは端末のＲＲＣがＥ−ＵＴＲＡＮのＲＲＣとの論理的連結（ｌｏｇｉｃａｌ  ｃｏｎｎｅｃｔｉｏｎ）をなしているか否かを言い、連結されている場合はＲＲＣ＿ＣＯＮＮＥＣＴＥＤ状態（ｓｔａｔｅ）、連結されていない場合はＲＲＣ＿ＩＤＬＥ状態と言う。ＲＲＣ＿ＣＯＮＮＥＣＴＥＤ状態の端末はＲＲＣ連結が存在するから、Ｅ−ＵＴＲＡＮは該当端末の存在をセル単位で把握することができ、よって端末を効果的に制御することができる。一方、ＲＲＣ＿ＩＤＬＥ状態の端末はＥ−ＵＴＲＡＮが端末の存在を把握することはできなく、セルより大きな地域単位であるＴＡ（Ｔｒａｃｋｉｎｇ  Ａｒｅａ）単位で核心網が管理する。すなわち、ＲＲＣ＿ＩＤＬＥ状態の端末はセルに比べて大きな地域単位で該当端末の存在有無のみ把握され、音声又はデータのような通常の移動通信サービスを受けるためには、該当端末がＲＲＣ＿ＣＯＮＮＥＣＴＥＤ状態に遷移しなければならない。各ＴＡはＴＡＩ（Ｔｒａｃｋｉｎｇ  ａｒｅａ  ｉｄｅｎｔｉｔｙ）によって区分される。端末はセルで放送（ｂｒｏａｄｃａｓｔｉｎｇ）される情報であるＴＡＣ（Ｔｒａｃｋｉｎｇ  ａｒｅａ  ｃｏｄｅ）によってＴＡＩを構成することができる。
【００９５】
使用者が端末の電源を最初に入れたとき、端末は先に適切なセルを探索した後、該当セルでＲＲＣ連結をなし、核心網に端末の情報を登録する。その後、端末はＲＲＣ＿ＩＤＬＥ状態に留まる。ＲＲＣ＿ＩＤＬＥ状態に留まる端末は必要によってセルを（再）選択し、システム情報（Ｓｙｓｔｅｍ  ｉｎｆｏｒｍａｔｉｏｎ）又はページング情報を調べる。これをセルにキャンプオン（Ｃａｍｐ  ｏｎ）すると言う。ＲＲＣ＿ＩＤＬＥ状態に留まっていた端末はＲＲＣ連結をなす必要があるときに初めてＲＲＣ連結過程（ＲＲＣ  ｃｏｎｎｅｃｔｉｏｎ  ｐｒｏｃｅｄｕｒｅ）によってＥ−ＵＴＲＡＮのＲＲＣとＲＲＣ連結をなし、ＲＲＣ＿ＣＯＮＮＥＣＴＥＤ状態に遷移する。ＲＲＣ＿ＩＤＬＥ状態にあった端末がＲＲＣ連結をなす必要がある場合は色々がある。例えば、使用者の通話試み、データ伝送試み、又はＥ−ＵＴＲＡＮからページングメッセージを受信した後、これに対する応答メッセージ伝送などを挙げることができる。
【００９６】
前記ＲＲＣ階層上に位置するＮＡＳ（Ｎｏｎ−Ａｃｃｅｓｓ  Ｓｔｒａｔｕｍ）階層は連結管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を行う。
【００９７】
以下では図３に示したＮＡＳ階層について詳細に説明する。
【００９８】
ＮＡＳ階層に属するｅＳＭ（ｅｖｏｌｖｅｄ  Ｓｅｓｓｉｏｎ  Ｍａｎａｇｅｍｅｎｔ）はデフォルトベアラー（Ｄｅｆａｕｌｔ  Ｂｅａｒｅｒ）管理、専用ベアラー（Ｄｅｄｉｃａｔｅｄ  Ｂｅａｒｅｒ）管理のような機能を行い、端末が網からＰＳサービスを用いるための制御を担う。デフォルトベアラーリソースは特定のパケットデータネットワーク（Ｐａｃｋｅｔ  Ｄａｔａ  Ｎｅｔｗｏｒｋ；ＰＤＮ）に最初に接続するとき、網から割り当てられるという特徴を有する。この際、ネットワークは、端末がデータサービスを使えるように端末が使用可能なＩＰ住所を割り当て、そしてデフォルトベアラーのＱｏＳを割り当てる。ＬＴＥでは、大別して、データ送受信のための特定の帯域幅を保障するＧＢＲ（Ｇｕａｒａｎｔｅｅｄ  ｂｉｔ  ｒａｔｅ）ＱｏＳ特性を有するベアラーと帯域幅の保障なしにＢｅｓｔ  ｅｆｆｏｒｔ  ＱｏＳ特性を有するＮｏｎ−ＧＢＲベアラーの２種を支援する。デフォルトベアラーの場合、Ｎｏｎ−ＧＢＲベアラーが割り当てられる。専用ベアラーの場合にはＧＢＲ又はＮｏｎ−ＧＢＲのＱｏＳ特性を有するベアラーが割り当てられることができる。
【００９９】
ネットワークで端末に割り当てたベアラーをＥＰＳ（ｅｖｏｌｖｅｄ  ｐａｃｋｅｔ  ｓｅｒｖｉｃｅ）ベアラーと言い、ＥＰＳベアラーを割り当てるとき、ネットワークは一つのＩＤを割り当てるようになる。これをＥＰＳベアラーＩＤと言う。一つのＥＰＳベアラーはＭＢＲ（ｍａｘｉｍｕｍ  ｂｉｔ  ｒａｔｅ）又は／及びＧＢＲ（Ｇｕａｒａｎｔｅｅｄ  ｂｉｔ  ｒａｔｅ）のＱｏＳ特性を有する。
【０１００】
図５は３ＧＰＰ  ＬＴＥでのランダムアクセス過程を示したフローチャートである。
【０１０１】
ランダムアクセス過程はＵＥが基地局に対するＵＬ同期を得るかＵＬ無線リソースを割り当てられるために用いられる。
【０１０２】
ＵＥはルートインデックス（ｒｏｏｔ  ｉｎｄｅｘ）とＰＲＡＣＨ（ｐｈｙｓｉｃａｌ  ｒａｎｄｏｍ  ａｃｃｅｓｓ  ｃｈａｎｎｅｌ）設定インデックス（ｃｏｎｆｉｇｕｒａｔｉｏｎ  ｉｎｄｅｘ）をｅＮｏｄｅＢから受信する。各セルごとにＺＣ（Ｚａｄｏｆｆ−Ｃｈｕ）シーケンスによって定義される６４個の候補（ｃａｎｄｉｄａｔｅ）ランダムアクセスプリアンブルがあり、ルートインデックスは端末が６４個の候補ランダムアクセスプリアンブルを生成するための論理的インデックスである。
【０１０３】
ランダムアクセスプリアンブルの伝送は各セルごとに特定の時間及び周波数リソースに限定される。ＰＲＡＣＨ設定インデックスはランダムアクセスプリアンブルの伝送が可能な特定のサブフレームとプリアンブルフォーマットを指示する。
【０１０４】
ＵＥは任意に選択されたランダムアクセスプリアンブルをｅＮｏｄｅＢに送信する。ＵＥは６４個の候補ランダムアクセスプリアンブルの一つを選択する。そして、ＰＲＡＣＨ設定インデックスによって該当のサブフレームを選択する。ＵＥは選択されたランダムアクセスプリアンブルを選択されたサブフレームに送信する。
【０１０５】
前記ランダムアクセスプリアンブルを受信したｅＮｏｄｅＢはランダムアクセス応答（ｒａｎｄｏｍ  ａｃｃｅｓｓ  ｒｅｓｐｏｎｓｅ、ＲＡＲ）をＵＥに送る。ランダムアクセス応答は２段階で検出される。まず、ＵＥはＲＡ−ＲＮＴＩ（ｒａｎｄｏｍ  ａｃｃｅｓｓ−ＲＮＴＩ）でマスキングされたＰＤＣＣＨを検出する。ＵＥは検出されたＰＤＣＣＨによって指示されるＰＤＳＣＨ上でＭＡＣ（Ｍｅｄｉｕｍ  Ａｃｃｅｓｓ  Ｃｏｎｔｒｏｌ）ＰＤＵ（Ｐｒｏｔｏｃｏｌ  Ｄａｔａ  Ｕｎｉｔ）内のランダムアクセス応答を受信する。
【０１０６】
図６は無線リソース制御（ＲＲＣ）階層での連結過程を示す。
【０１０７】
図６に示したように、ＲＲＣ連結可否によってＲＲＣ状態が示されている。前記ＲＲＣ状態とはＵＥのＲＲＣ階層のエンティティ（ｅｎｔｉｔｙ）がｅＮｏｄｅＢのＲＲＣ階層のエンティティと論理的連結（ｌｏｇｉｃａｌ  ｃｏｎｎｅｃｔｉｏｎ）をなしているか否かを言い、連結されている場合はＲＲＣ連結状態（ｃｏｎｎｅｃｔｅｄ  ｓｔａｔｅ）と言い、連結されていない状態をＲＲＣ遊休モード（ｉｄｌｅ  ｓｔａｔｅ）と言う。
【０１０８】
前記連結状態（Ｃｏｎｎｅｃｔｅｄ  ｓｔａｔｅ）のＵＥはＲＲＣ連結（ｃｏｎｎｅｃｔｉｏｎ）が存在するから、Ｅ−ＵＴＲＡＮは該当端末の存在をセル単位で把握することができ、よってＵＥを効果的に制御することができる。一方、遊休モード（ｉｄｌｅ  ｓｔａｔｅ）のＵＥはｅＮｏｄｅＢが把握することはできなく、セルより大きな地域単位であるトラッキング地域（Ｔｒａｃｋｉｎｇ  Ａｒｅａ）単位で核心網（Ｃｏｒｅ  Ｎｅｔｗｏｒｋ）が管理する。前記トラッキング地域（Ｔｒａｃｋｉｎｇ  Ａｒｅａ）はセルの集合単位である。すなわち、遊休モード（ｉｄｌｅ  ｓｔａｔｅ）ＵＥは大きな地域単位で存在有無のみ把握され、音声やデータのような通常の移動通信サービスを受けるためには、端末は連結状態（ｃｏｎｎｅｃｔｅｄ  ｓｔａｔｅ）に遷移しなければならない。
【０１０９】
使用者がＵＥの電源を最初に入れたとき、前記ＵＥは先に適切なセルを探索した後、該当セルで遊休モード（ｉｄｌｅ  ｓｔａｔｅ）で留まる。前記遊休モード（ｉｄｌｅ  ｓｔａｔｅ）で留まっていたＵＥはＲＲＣ連結をなす必要があるときに初めてＲＲＣ連結過程（ＲＲＣ  ｃｏｎｎｅｃｔｉｏｎ  ｐｒｏｃｅｄｕｒｅ）によってｅＮｏｄｅＢのＲＲＣ階層とのＲＲＣ連結をなし、ＲＲＣ連結状態（ｃｏｎｎｅｃｔｅｄ  ｓｔａｔｅ）に遷移する。
【０１１０】
前記遊休モード（Ｉｄｌｅ  ｓｔａｔｅ）にあったＵＥがＲＲＣ連結をなす必要がある場合はいろいろがある。例えば、使用者の通話試み、データ伝送、又はＥＵＴＲＡＮからページングメッセージを受信した後、これに対する応答メッセージの伝送を挙げることができる。
【０１１１】
遊休モード（ｉｄｌｅ  ｓｔａｔｅ）のＵＥが前記ｅＮｏｄｅＢとＲＲＣ連結をなすためには、前述したようにＲＲＣ連結過程（ＲＲＣ  ｃｏｎｎｅｃｔｉｏｎ  ｐｒｏｃｅｄｕｒｅ）を進行しなければならない。ＲＲＣ連結過程は、大別して、ＵＥがｅＮｏｄｅＢにＲＲＣ連結要求（ＲＲＣ  ｃｏｎｎｅｃｔｉｏｎ  ｒｅｑｕｅｓｔ）メッセージを送信する過程、ｅＮｏｄｅＢがＵＥにＲＲＣ連結設定（ＲＲＣ  ｃｏｎｎｅｃｔｉｏｎ  ｓｅｔｕｐ）メッセージを送信する過程、及びＵＥがｅＮｏｄｅＢにＲＲＣ連結設定完了（ＲＲＣ  ｃｏｎｎｅｃｔｉｏｎ  ｓｅｔｕｐ  ｃｏｍｐｌｅｔｅ）メッセージを送信する過程を含む。このような過程について図６を参照してより詳細に説明すると次のようである。
【０１１２】
１）遊休モード（Ｉｄｌｅ  ｓｔａｔｅ）のＵＥは、通話試み、データ伝送試み、又はｅＮｏｄｅＢのページングに対する応答などの理由でＲＲＣ連結をなそうとする場合、まずＲＲＣ連結要求（ＲＲＣ  ｃｏｎｎｅｃｔｉｏｎ  ｒｅｑｕｅｓｔ）メッセージをｅＮｏｄｅＢに送信する。
【０１１３】
２）前記ＵＥからＲＲＣ連結要求メッセージを受信すれば、前記ｅＮＢは、無線リソースが十分な場合、前記ＵＥのＲＲＣ連結要求を受諾し、応答メッセージであるＲＲＣ連結設定（ＲＲＣ  ｃｏｎｎｅｃｔｉｏｎ  ｓｅｔｕｐ）メッセージを前記ＵＥに送信する。
【０１１４】
３）前記ＵＥが前記ＲＲＣ連結設定メッセージを受信すれば、前記ｅＮｏｄｅＢにＲＲＣ連結設定完了（ＲＲＣ  ｃｏｎｎｅｃｔｉｏｎ  ｓｅｔｕｐ  ｃｏｍｐｌｅｔｅ）メッセージを送信する。前記ＵＥがＲＲＣ連結設定メッセージを成功的に送信すれば、初めて前記ＵＥはｅＮｏｄｅＢとｍｐＲＲＣ連結をなし、ＲＲＣ連結モードに遷移する。
【０１１５】
ＰＬＭＮ選択（Ｐｕｂｌｉｃ  Ｌａｎｄ  Ｍｏｂｉｌｅ  Ｎｅｔｗｏｒｋ  ｓｅｌｅｃｔｉｏｎ）
【０１１６】
ＰＬＭＮは移動通信網（事業者網、例えば事業者のネットワーク識別番号）を意味することができ、ＰＬＭＮ選択は移動通信網に接続しようとするＰＬＭＮを選択する手順／過程を意味する。端末のＮＡＳはＡＳによって報告されたＰＬＭＮ情報を評価し、この中で登録するためのＰＬＭＮを選択する作業を行うことができる。この過程で、ＵＳＩＭ（Ｕｓｅｒ  Ｓｅｒｖｉｃｅｓ  Ｉｄｅｎｔｉｔｙ  Ｍｏｄｕｌｅ）に保存されているＰＬＭＮ／ＲＡＴの優先順位（ｐｒｉｏｒｉｔｙ）が使われることができる。ＰＬＭＮ選択は優先順位に基づくＰＬＭＮリストから端末が自動的に一つの利用可能なＰＬＭＮを選択するＡｕｔｏｍａｔｉｃ  ＰＬＭＮ選択方式と、使用者が直接端末のＡＳが提供するＰＬＭＮのリストから一つのＰＬＭＮを選択するＭａｎｕａｌ  ＰＬＭＮ選択方式に区分されることができる。端末はＰＬＭＮ／ＲＡＴへの登録が成功するまで所定の手順でＰＬＭＮ／ＲＡＴを選択して登録を試みることができる。この時、ＰＬＭＮ／ＲＡＴの手順（ｏｒｄｅｒ）（これは端末に示されるＰＬＭＳリスト手順であってもよい）はＰＬＭＮｓ  ｌｉｓｔｅｄ  ｉｎ  ｔｈｅ  ＨＰＬＭＮ  （Ｈｏｍｅ  ＰＬＭＮ）  ｏｒ  ｔｈｅ  ＥＨＰＬＭＮ  （Ｅｑｕｉｖａｌｅｎｔ  ＨＰＬＭＮ）、ＰＬＭＮｓ  ｌｉｓｔｅｄ  ｉｎ  ｔｈｅ  ‘Ｕｓｅｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ’、  ＰＬＭＮｓ  ｌｉｓｔｅｄ  ｉｎ  ｔｈｅ  ‘Ｏｐｅｒａｔｏｒ  Ｃｏｎｔｒｏｌｌｅｄ  ＰＬＭＮ  Ｓｅｌｅｃｔｏｒ  ｗｉｔｈ  Ａｃｃｅｓｓ  Ｔｅｃｈｎｏｌｏｇｙ’、  ＰＬＭＮｓ  ｒｅｐｏｒｔｅｄ  ｂｙ  ｔｈｅ  ＡＳ  ａｓ  ｈｉｇｈ  ｑｕａｌｉｔｙ  ＰＬＭＮｓ、  ＭＮｓ  ｒｅｐｏｒｔｅｄ  ｂｙ  ｔｈｅ  ＡＳ  ｉｎ  ｄｅｃｒｅａｓｉｎｇ  ｏｒｄｅｒ  ｏｆ  ｓｉｇｎａｌ  ｑｕａｌｉｔｙであってもよい。
【０１１７】
ＰＬＭＮを選択した端末はＰＬＭＮに属するセルのうち適切なセル（ｓｕｉｔａｂｌｅ  ｃｅｌｌ）を捜し、適切なサービスを提供することが可能なセルを選択する。具体的に、ＮＡＳレイヤーがＡＳレイヤーにＰＬＭＮ  ｓｅｌｅｃｔｉｏｎが必要であると知らせると、ＡＳレイヤーが該当バンドを捜し、ＰＬＭＮ  ｌｉｓｔをＮＡＳレイヤーに送る。この時、ＮＡＳレイヤー優先順位（ｐｒｉｏｒｉｔｙ）によって捜してＰＬＭＮを選択し、該当ＰＬＭＮをブロードキャストするセルを選択することができる。この過程を‘ｃａｍｐｉｎｇ  ｏｎ  ｔｈｅ  ｃｅｌｌ’と言える。適切なセルにｌｏｃａｔｉｏｎ  ｒｅｇｉｓｔｒａｔｉｏｎ（ＬＲ）、ａｔｔａｃｈ要求などを送信することにより、端末は選択されたＰＬＭＮへの登録を試みることができる。仮に、端末が適切なセルを捜すことができないとか、ＬＲが受け入れられない場合（拒絶応答など）、端末は選択されたＰＬＭＮへの登録に失敗することになる。
【０１１８】
ａ）選択されたＰＬＭＮから適切なセルを捜すことができなかった場合、ｂ）端末にＳＩＭがない場合、ｃ）ＬＲに対する応答によって‘ＰＬＭＮ  ｎｏｔ  ａｌｌｏｗｅｄ’を受信した場合、ｄ）ＬＲに対する応答によって、‘ｉｌｌｅｇａｌ  ＭＳ’又は‘ｉｌｌｅｇａｌ  ＭＥ’を受信した場合、ｅ）‘ＩＭＳＩ  ｕｎｋｎｏｗｎ  ｉｎ  ＨＬＲ’を受信した場合、ｆ）ＧＰＲＳ  ＭＳ  ａｔｔａｃｈｅｄ  ｔｏ  ＧＰＲＳ  ｓｅｒｖｉｃｅｓ  ｏｎｌｙのＬＲが受信されたとき、‘ＧＰＲＳ  ｎｏｔ  ａｌｌｏｗｅｄ’である場合、ｇ）Ｐｏｗｅｒ  ｓａｖｉｎｇ  ｍｏｄｅ（ＰＳＭ）が活性化した場合、端末は選択されたＰＬＭＮでｌｉｍｉｔｅｄ  ｓｅｒｖｉｃｅ  ｓｔａｔｅ状態でサービスを受けることができる。端末が有効なＳＩＭを持っており、ｌｉｍｉｔｅｄ  ｓｅｒｖｉｃｅ  ｓｔａｔｅにある場合、ＰＬＭＮを探索することになる。
【０１１９】
実施例
【０１２０】
以下では、前記の説明に基づき、本発明の実施例によるＰｒｏＳｅ  ｄｉｒｅｃｔ  ｃｏｍｍｕｎｉｃａｔｉｏｎに係わるＰＬＭＮ選択関連動作（ＰｒｏＳｅ  ｄｉｒｅｃｔ  ｃｏｍｍｕｎｉｃａｔｉｏｎによってトリガーされたＰＬＭＮ選択、ＰＬＭＮ  ｓｅｌｅｃｔｉｏｎ  ｔｒｉｇｇｅｒｅｄ  ｂｙ  ＰｒｏＳｅ  ｄｉｒｅｃｔ  ｃｏｍｍｕｎｉｃａｔｉｏｎ）について説明する。以下の説明で、端末はｌｉｍｉｔｅｄ  ｓｅｒｖｉｃｅ  ｓｔａｔｅであるかあるいはｎｏｒｍａｌ  ｓｅｒｖｉｃｅ  ｓｔａｔｅ（ｎｏｒｍａｌ  ｓｅｒｖｉｃｅを受けることができるｌｉｍｉｔｅｄ  ｓｅｒｖｉｃｅ  ｓｔａｔｅではないｓｔａｔｅ）にあり得る。言い換えれば、ｉ）ｎｏｒｍａｌ  ｓｅｒｖｉｃｅ  ｓｔａｔｅの端末がＰｒｏＳｅ  ｄｉｒｅｃｔ  ｓｅｒｖｉｃｅを始めるためにＰＬＭＮ選択をするとき、ｉｉ）ｌｉｍｉｔｅｄ  ｓｅｒｖｉｃｅ  ｓｔａｔｅであり、ＰｒｏＳｅ  ｄｉｒｅｃｔ  ｓｅｒｖｉｃｅ実行中の端末がＰＬＭＮ選択を行うとき、ｉｉｉ）ｎｏｒｍａｌ  ｓｅｒｖｉｃｅ  ｓｔａｔｅであり、ＰｒｏＳｅ  ｄｉｒｅｃｔ  ｓｅｒｖｉｃｅ実行中の端末がＰＬＭＮ選択を行うとき、ｉｖ）ｌｉｍｉｔｅｄ  ｓｅｒｖｉｃｅ  ｓｔａｔｅの端末がＰｒｏＳｅ  ｄｉｒｅｃｔ  ｓｅｒｖｉｃｅを始めるためにＰＬＭＮ選択を行うときの中で全部又は一部の状態にあり得る。ここで、ＰｒｏＳｅ  ｄｉｒｅｃｔ  ｃｏｍｍｕｎｉｃａｔｉｏｎに係わるＰＬＭＮ選択関連動作におけるｌｉｍｉｔｅｄ  ｓｅｒｖｉｃｅ  ｓｔａｔｅとは、上述した従来技術によるｌｉｍｉｔｅｄ  ｓｅｒｖｉｃｅ  ｓｔａｔｅ場合のうち、ａ）選択されたＰＬＭＮで適切なセルを捜すことができなかった場合、ｃ）ＬＲに対する応答によって‘ＰＬＭＮ  ｎｏｔ  ａｌｌｏｗｅｄ’を受信した場合、ｆ）ＧＰＲＳ  ＭＳ  ａｔｔａｃｈｅｄ  ｔｏ  ＧＰＲＳ  ｓｅｒｖｉｃｅｓ  ｏｎｌｙのＬＲが受信されたとき、‘ＧＰＲＳ  ｎｏｔ  ａｌｌｏｗｅｄ’の場合を意味する。
【０１２１】
本発明の一実施例による端末は、Ｅ−ＵＴＲＡＮによってサービングされない（ｎｏｔ  ｓｅｒｖｅｄ  ｂｙ  Ｅ−ＵＴＲＡＮ）場合（例えば、ｏｕｔｓｉｄｅ  ｏｆ  Ｅ−ＵＴＲＡＮ  ｃｏｖｅｒａｇｅ、  ｗｉｔｈｉｎ  Ｅ−ＵＴＲＡＮ  ｃｏｖｅｒａｇｅ  ｂｕｔ  ｎｏｔ  ｃａｍｐｅｄ  ｏｎ  ａｎｙ  ｃｅｌｌ、  ｗｉｔｈｉｎ  Ｅ−ＵＴＲＡＮ  ｃｏｖｅｒａｇｅ  ｂｕｔ  ｃａｍｐｅｄ  ｏｎ  ａ  ｎｏｎ−Ｅ−ＵＴＲＡＮ  ｃｅｌｌ、  ｃａｍｐｅｄ  ｏｎ  ａｎ  Ｅ−ＵＴＲＡＮ  ｃｅｌｌ  ｎｏｔ  ｏｐｅｒａｔｉｎｇ  ｏｎ  ｔｈｅ  ｃａｒｒｉｅｒ  ｆｒｅｑｕｅｎｃｙ  ｐｒｏｖｉｓｉｏｎｅｄ  ｆｏｒ  ＰｒｏＳｅ  ｄｉｒｅｃｔ  ｓｅｒｖｉｃｅ）、ｇｅｏｇｒａｐｈｉｃａｌ  ａｒｅａで自分の位置を確認し、該当ｇｅｏｇｒａｐｈｉｃａｌ  ａｒｅａにｒａｄｉｏ  ｐａｒａｍｅｔｅｒｓが提供されれば、該当ｇｅｏｇｒａｐｈｉｃａｌ  ａｒｅａに関連したｒａｄｉｏ  ｐａｒａｍｅｔｅｒを選択する。端末は、選択したｒａｄｉｏ  ｐａｒａｍｅｔｅｒｓが現在位置で他のｃｅｌｌにｉｎｔｅｒｆｅｒｅｎｃｅを与えるかをチェックする。他のセルでｉｎｔｅｒｆｅｒｅｎｃｅを与える場合、該当セルが次のような条件を満たすかを確認する。そのセルがｔｈｅ  ｐｒｏｖｉｓｉｏｎｅｄ  ｒａｄｉｏ  ｒｅｓｏｕｒｃｅｓ（つまり、ｃａｒｒｉｅｒ  ｆｒｅｑｕｅｎｃｙ）を動作し、ＲＰＬＭＮ又はＥＰＬＭＮに属しない場合、該当セルが報告するＰＬＭＮのいずれか一つでもＲＰＬＭＮ又はＥＰＬＭＮではなくて、多くても一つのＰＬＭＮがｔｈｅ  ｌｉｓｔ  ｏｆ  ａｕｔｈｏｒｉｚｅｄ  ＰＬＭＮｓ  ｆｏｒ  ＰｒｏＳｅ  ｄｉｒｅｃｔ  ｃｏｍｍｕｎｉｃａｔｉｏｎに含まれれば、ＰＬＭＮ  ｓｅｌｅｃｔｉｏｎ  ｔｒｉｇｇｅｒｅｄ  ｂｙ  ＰｒｏＳｅ  ｄｉｒｅｃｔ  ｃｏｍｍｕｎｉｃａｔｉｏｎを行うようになる。ＰＬＭＮ  ｓｅｌｅｃｔｉｏｎ  ｔｒｉｇｇｅｒｅｄ  ｂｙ  ＰｒｏＳｅ  ｄｉｒｅｃｔ  ｃｏｍｍｕｎｉｃａｔｉｏｎを行えば、ＰＬＭＮ  ｓｅｌｅｃｔｉｏｎの対象となるｃａｎｄｉｄａｔｅ  ＰＬＭＮを選択するようになる。１）ＰＬＭＮのうちＰｒｏＳｅ  ｄｉｒｅｃｔ  ｃｏｍｍｕｎｉｃａｔｉｏｎのためのｒａｄｉｏ  ｒｅｓｏｕｒｃｅを提供し、２）ｔｈｅ  ｌｉｓｔ  ｏｆ  ａｕｔｈｏｒｉｚｅｄ  ＰＬＭＮｓ  ｆｏｒ  ＰｒｏＳｅ  ｄｉｒｅｃｔ  ｃｏｍｍｕｎｉｃａｔｉｏｎに含まれ、３）“ｆｏｒｂｉｄｄｅｎ  ＰＬＭＮｓ”、“ｆｏｒｂｉｄｄｅｎ  ＰＬＭＮｓ  ｆｏｒ  ＥＰＳ  ｓｅｒｖｉｃｅｓ”  ａｎｄ  “ＰＬＭＮｓ  ｗｉｔｈ  Ｅ−ＵＴＲＡＮ  ｎｏｔ  ａｌｌｏｗｅｄ”のｌｉｓｔに含まれない条件の全てを満たす場合、該当ＰＬＭＮｓはｃａｎｄｉｄａｔｅ  ＰＬＭＮｓとなる。端末はｃａｎｄｉｄａｔｅ  ＰＬＭＮｓに相応するＰＬＭＮのうち一つを選択することができる。選択されたＰＬＭＮに登録を行うことができる。この時、端末は、選択されたＰＬＭＮへの登録が失敗しても、それ以上ＰＬＭＮ選択過程の実行なしに選択されたＰＬＭＮでＰｒｏＳｅ  ｄｉｒｅｃｔ  ｃｏｍｍｕｎｉｃａｔｉｏｎを行うことができる。ここで、選択されたＰＬＭＮでＰｒｏＳｅ  ｄｉｒｅｃｔ  ｃｏｍｍｕｎｉｃａｔｉｏｎの実行は、ｌｉｍｉｔｅｄ  ｓｅｒｖｉｃｅ  ｓｔａｔｅで行われるものである。ＰｒｏＳｅ  ｄｉｒｅｃｔ  ｓｅｒｖｉｃｅを開始するか実行している端末がＰＬＭＮ選択を行うとき、ＰｒｏＳｅ  ＰＬＭＮ  ｃａｎｄｉｄａｔｅ選択条件に合うＰＬＭＮを捜し、選択条件に合うＰＬＭＮがある場合、該当ＰＬＭＮを選択する。この時、ＰｒｏＳｅ  ＰＬＭＮ  ｃａｎｄｉｄａｔｅ選択条件に合うＰＬＭＮが存在しない場合、現在のＰＬＭＮでＰｒｏＳｅ  ｄｉｒｅｃｔ  ｓｅｒｖｉｃｅの実行が終わるまでＰＬＭＮ選択を行わないものである。ＰｒｏＳｅ  ＰＬＭＮ  ｃａｎｄｉｄａｔｅ選択条件に合うＰＬＭＮを捜す過程なしに、現在のＰＬＭＮでＰｒｏＳｅ  ｄｉｒｅｃｔ  ｓｅｒｖｉｃｅの実行が終わるまでＰＬＭＮ選択を行わないこともできる。
【０１２２】
このように動作することにより、ＰＬＭＮ選択過程で発生し得るＰｉｎｇ−ｐｏｎｇ問題を解決することができる。例えば、図７で、端末はＰｒｏＳｅ  ｄｉｒｅｃｔ  ｓｅｒｖｉｃｅを提供しないＰＬＭＮ  Ｂにｃａｍｐｅｄ  ｏｎされており、ＰＬＭＮ  ＡはＰｒｏＳｅ  ｄｉｒｅｃｔ  ｓｅｒｖｉｃｅを提供する。ＰＬＭＮ  Ａはｒｅｇｉｓｔｅｒｅｄ  ＰＬＭＮ又はｅｑｕｉｖａｌｅｎｔ  ＰＬＭＮではない。この場合、端末はＰＬＭＮに無関係にｐｒｏｖｉｓｉｏｎｅｄ  ｒａｄｉｏ  ｒｅｓｏｕｒｃｅを提供するセルを検索し、そのセルがＰＬＭＮ  Ａに属することが分かるようになる。端末はＰＬＭＮ  Ａを選択するためのＰＬＭＮ選択をトリガーすることができる。端末はＰＬＭＮ  Ａを選択することができるが、ＥＭＭ  ｃａｕｓｅ  ＃１１  ‘ＰＬＭＮ  ｎｏｔ  ａｌｌｏｗｅｄ又はＥＭＭ  ｃａｕｓｅ  ＃７  ‘ＥＰＳ  ｓｅｒｖｉｃｅｓ  ｎｏｔ  ａｌｌｏｗｅｄ’を含むＡＴＴＡＣＨ  ＲＥＪＥＣＴメッセージ、ＴＲＡＣＫＩＮＧ  ＡＲＥＡ  ＵＰＤＡＴＥメッセージ又はＳＥＲＶＩＣＥ  ＲＥＪＥＣＴメッセージを受信した場合、ｌｉｍｉｔｅｄ  ｓｅｒｖｉｃｅ  ｓｔａｔｅとなり、ＥＭＭ−Ｉｄｌｅ  ｍｏｄｅとなる。端末はＰｒｏＳｅ  ｄｉｒｅｃｔ  ｓｅｒｖｉｃｅを行うことができるが、従来技術による場合、ＰＬＭＮ選択を行わなければならない。この場合、ＰＬＭＮ  Ｂが再び選択されることができ、端末はＰｒｏＳｅ  ｄｉｒｅｃｔ  ｓｅｒｖｉｃｅを行うことができなくなる。端末はＰｒｏＳｅ  ｄｉｒｅｃｔ  ｓｅｒｖｉｃｅを行うために再びＰＬＭＮ  Ａを選択するようになり、前記過程が繰り返されることができる。よって、本発明の実施例のように、選択されたＰＬＭＮへの登録が失敗しても、それ以上ＰＬＭＮ選択過程の実行なしに選択されたＰＬＭＮでｌｉｍｉｔｅｄ  ｓｅｒｖｉｃｅ  ｓｔａｔｅでＰｒｏＳｅ  ｄｉｒｅｃｔ  ｃｏｍｍｕｎｉｃａｔｉｏｎを行うようにすることによってこのような問題を解決することができる。
【０１２３】
次に、選択されたＰＬＭＮへの登録失敗の理由は、‘ＰＬＭＮ  ｎｏｔ  ａｌｌｏｗｅｄ’であってもよい。この登録失敗の理由はＰＬＭＮに属するセルに送信された位置登録要求に対する応答として受信されたからであり得る。若しくは、選択されたＰＬＭＮへの登録失敗の理由は、端末が選択されたセル（ｓｅｌｅｃｔｅｄ  ｃｅｌｌ）で適切なＰＬＭＮを捜すことができなかったからであり得る。
【０１２４】
一方、ＰＬＭＮ選択において、ＰＬＭＮは必ずしも‘ｆｏｒｂｉｄｄｅｎ  ＰＬＭＮｓ’リストに含まれなくてもよい。すなわち、ＰｒｏＳｅ  ＰＬＭＮ  ｃａｎｄｉｄａｔｅ選択条件によって、一つ以上のＰＬＭＮが選択される場合、ｆｏｒｂｉｄｄｅｎ  ＰＬＭＮ  ｌｉｓｔにあるＰＬＭＮは除かれることができる。
【０１２５】
ＰＬＭＮは必ずしも‘ＰＬＭＮｓ  ｗｉｔｈ  Ｅ−ＵＴＲＡＮ  ｎｏｔ  ａｌｌｏｗｅｄ’リストにも含まれなくてもよい。
【０１２６】
ＰＬＭＮは必ず‘ａｕｔｈｏｒｉｓｅｄ  ＰＬＭＮ’リストに含まれるものであってもよい。すなわち、端末はＰｒｏＳｅ  ｄｉｒｅｃｔ  ｃｏｍｍｕｎｉｃａｔｉｏｎによってトリガーされたＰＬＭＮ選択のために必ず‘Ｓｅｒｖｉｃｅ  ａｕｔｈｏｒｉｚｅｄ  ＰＬＭＮｌｉｓｔ’を考慮しなければならない。‘ｎｏｔ  ｓｅｒｖｅｄ  ｂｙ  Ｅ−ＵＴＲＡＮ’の場合についてのａｕｔｈｏｒｉｓａｔｉｏｎ情報に含まれたｐｒｏｖｉｓｉｏｎｅｄ  ｒａｄｉｏ  ｒｅｓｏｕｒｃｅを提供するＰＬＭＮ（ｒａｄｉｏ  ｐａｒａｍｅｔｅｒと一緒にｇｅｏｇｒａｐｈｉｃａｌ  Ａｒｅａを含むことができる）であり得る。ＰＬＭＮリストの各ＰＬＭＮは、Ｅ−ＵＴＲＡＮによってサービングされるとき、ｄｉｒｅｃｔ  ｃｏｍｍｕｎｉｃａｉｔｏｎに使われるようにａｕｔｈｏｒｉｓｅｄされたものである。（ｅａｃｈ  ＰＬＭＮ  ｉｎ  ｔｈｅ  ｌｉｓｔ  ｏｆ  ＰＬＭＮｓ  ｉｎ  ｗｈｉｃｈ  ｔｈｅ  ＵＥ  ｉｓ  ａｕｔｈｏｒｉｓｅｄ  ｔｏ  ｕｓｅ  ｄｉｒｅｃｔ  ｃｏｍｍｕｎｉｃａｔｉｏｎ  ｗｈｅｎ  ｓｅｒｖｅｄ  ｂｙ  Ｅ−ＵＴＲＡＮ）
【０１２７】
端末（ＮＡＳ  ｌａｙｅｒ）は、ＬＲ失敗が登録失敗を引き起こしたＰＬＭＮ、又は“ｆｏｒｂｉｄｄｅｎ  ｌｏｃａｔｉｏｎ  ａｒｅａｓ  ｆｏｒ  ｒｏａｍｉｎｇ”、“ｆｏｒｂｉｄｄｅｎ  Ｔｒａｃｋｉｎｇ  Ａｒｅａｓ  ｆｏｒ  ｒｏａｍｉｎｇ”、“ｆｏｒｂｉｄｄｅｎ  ｌｏｃａｔｉｏｎ  ａｒｅａｓ  ｆｏｒ  ｒｅｇｉｏｎａｌ  ｐｒｏｖｉｓｉｏｎ  ｏｆ  ｓｅｒｖｉｃｅ”、“ｆｏｒｂｉｄｄｅｎ  Ｔｒａｃｋｉｎｇ  Ａｒｅａｓ  ｆｏｒ  ｒｅｇｉｏｎａｌ  ｐｒｏｖｉｓｉｏｎ  ｏｆ  ｓｅｒｖｉｃｅ”、“ｆｏｒｂｉｄｄｅｎ  ＰＬＭＮ”、“ｆｏｒｂｉｄｄｅｎ  ＰＬＭＮｓ  ｆｏｒ  ＧＰＲＳ  ｓｅｒｖｉｃｅ”又は“ＰＬＭＮｓ  ｗｉｔｈ  Ｅ−ＵＴＲＡＮ  ｎｏｔ  ａｌｌｏｗｅｄ”に含まれるＰＬＭＮは考慮／選択しないかあるいは考慮／選択してはいけない。
【０１２８】
前記条件のうち一つを満たすＰＬＭＮが選択されることができる。場合によって、二つのうち一条件のみ満たすかあるいは両条件を満たす必要がある。両条件を考慮する場合、ＰＬＭＮによって満たす必要がある優先順位は必要によって決定されることができる。
【０１２９】
図８は本発明の一例による端末装置及びネットワークノード装置の好適な実施例の構成を示す図である。
【０１３０】
図８を参照すると、本発明による端末装置１００は、送受信装置１１０、プロセッサ１２０及びメモリ１３０を含むことができる。送受信装置１１０は、外部装置に各種の信号、データ及び情報を送信し、外部装置から各種の信号、データ及び情報を受信するように構成されることができる。端末装置１００は外部装置と有線及び／又は無線で連結されることができる。プロセッサ１２０は端末装置１００の全ての動作を制御することができ、端末装置１００が外部装置と送受信すべき情報などを演算処理する機能を行うように構成されることができる。また、プロセッサ１２０は本発明で提案する端末動作を行うように構成されることができる。メモリ１３０は演算処理された情報などを所定時間の間に記憶することができ、バッファー（図示せず）などの構成要素に取り替えられることができる。
【０１３１】
図８を参照すると、本発明によるネットワークノード装置２００は、送受信装置２１０、プロセッサ２２０及びメモリ２３０を含むことができる。送受信装置２１０は、外部装置に各種の信号、データ及び情報を送信し、外部装置から各種の信号、データ及び情報を受信するように構成されることができる。ネットワークノード装置２００は外部装置と有線及び／又は無線で連結されることができる。プロセッサ２２０はネットワークノード装置２００の全ての動作を制御することができ、ネットワークノード装置２００が外部装置と送受信すべき情報などを演算処理する機能を行うように構成されることができる。また、プロセッサ２２０は本発明で提案するネットワークノード動作を行うように構成されることができる。メモリ２３０は演算処理された情報などを所定時間の間に記憶することができ、バッファー（図示せず）などの構成要素に取り替えられることができる。
【０１３２】
また、このような端末装置１００及びネットワーク装置２００の具体的な構成は、前述した本発明の多様な実施例で説明した事項が独立的に適用されるかあるいは二つ以上の実施例が同時に適用されるように具現でき、重複する内容は明確性のために説明を省略する。
【０１３３】
上述した本発明の実施例は多様な手段によって具現されることができる。例えば、本発明の実施例は、ハードウェア、ファームウエア（ｆｉｒｍｗａｒｅ）、ソフトウェア又はそれらの組合せなどによって具現できる。
【０１３４】
ハードウェアによる具現の場合、本発明の実施例による方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラー、マイクロコントローラー、マイクロプロセッサなどによって具現できる。
【０１３５】
ファームウエア又はソフトウェアによる具現の場合、本発明の実施例による方法は以上で説明した機能又は動作を行う装置、過程又は関数などの形態に具現できる。ソフトウェアコードはメモリユニットに記憶され、プロセッサによって駆動されることができる。前記メモリユニットは前記プロセッサの内部又は外部に位置し、既に知られた多様な手段によって前記プロセッサとデータを取り交わすことができる。
【０１３６】
前記のように開示された本発明の好適な実施形態についての詳細な説明は当業者が本発明を具現して実施することができるように提供した。以上では本発明の好適な実施形態に基づいて説明したが、当該技術分野の熟練した当業者は下記の特許請求範囲に記載された本発明の思想及び領域から逸脱しない範疇内で本発明を多様に修正及び変更することができることを理解することが可能であろう。よって、本発明はここで開示した実施形態に制限されるものではなく、ここで開示した原理及び新規の特徴と一致する最広の範囲を付与しようとするものである。
【産業上の利用可能性】
【０１３７】
上述したような本発明の多様な実施形態は３ＧＰＰシステムを中心に説明したが、多様な移動通信システムに同様な方式で適用可能である。
【図１】
0006769972.tif 000004
【図２】
0006769972.tif 000005
【図３】
0006769972.tif 000006
【図４】
0006769972.tif 000007
【図５】
0006769972.tif 000008
【図６】
0006769972.tif 000009
【図７】
0006769972.tif 000010
【図８】
0006769972.tif 000011